(57)【要約】【課題】ロッドの外周をシールするロッドパッキンへの負荷が少ない圧縮シリンダを提供する。【解決手段】吸入口２０及び吐出口３０に連通されたシリンダ筒１０と、前記シリンダ筒１０内に密着摺動可能に配設されたピストン１と、前記ピストン１と同軸に一体的に連設され、該ピストン１よりも小径であって、前記シリンダ筒１０に同軸に形成された連結筒１２内を密着摺動可能とされた連結軸４と、前記連結軸４に連設され、該連結軸４を介して前記ピストン１に駆動力を伝達するロッド５と、前記ロッド５の外周をシールするロッドパッキン６と、前記連結軸４の後端部４ｂと前記ロッドパッキン６との間の前記連結筒１２内の空間を外方に連通させる連通孔１２ｂとを備え、前記吸入口２０から供給されたガスを前記シリンダ筒１０内で前記ピストン１により圧縮して前記吐出口３０から送出すること。【選択図】図１
2020041512.tif 000002
【特許請求の範囲】
【請求項１】
吸入口及び吐出口に連通されたシリンダ筒と、
前記シリンダ筒内に密着摺動可能に配設されたピストンと、
前記ピストンと同軸に一体的に連設され、該ピストンよりも小径であって、前記シリンダ筒に同軸に形成された連結筒内を密着摺動可能とされた連結軸と、
前記連結軸に連設され、該連結軸を介して前記ピストンに駆動力を伝達するロッドと、
前記ロッドの外周をシールするロッドパッキンと、
前記連結軸の後端部と前記ロッドパッキンとの間の前記連結筒内の空間を外方に連通させる連通孔とを備え、
前記吸入口から供給されたガスを前記シリンダ筒内で前記ピストンにより圧縮して前記吐出口から送出することを特徴とする圧縮シリンダ。
【請求項２】
前記連結軸の後端部と前記ロッドパッキンとの間の前記連結筒内の空間は、前記連通孔を経由して外方に連通することにより、前記吐出口から吐出されるガスの圧力よりも低く大気圧よりも高い圧力とされていることを特徴とする請求項１記載の圧縮シリンダ。
【請求項３】
前記ロッドパッキンは、潤滑油の供給が不要であることを特徴とする請求項１又は２記載の圧縮シリンダ。
【請求項４】
前記連結軸の外周面には、ピストンリングが装着されており、このピストンリングの外周部が前記連結筒の内周面に密着摺動することを特徴とする請求項１、２又は３記載の圧縮シリンダ。
【請求項５】
前記シリンダ筒内には、円筒状のシリンダライナが装着されており、
前記ピストンの外周面には、ピストンリング及びライダリングが装着されており、これらピストンリング及びライダリングの外周部が前記シリンダライナの内周面に密着摺動することを特徴とする請求項１〜４の何れかに記載の圧縮シリンダ。
【請求項６】
前記ガスを２００バール以上で使用することを特徴とする請求項１〜５の何れかに記載の圧縮シリンダ。
【発明の詳細な説明】
【技術分野】
【０００１】
本発明は、圧縮シリンダに関し、より詳しくは、ロッドの外周をシールするロッドパッキンへの負荷が少ない圧縮シリンダに関する。
【背景技術】
【０００２】
特許文献１には、往復動圧縮機が記載されている。このような往復動圧縮機においては、円筒状のシリンダ筒内に円柱状のピストンが摺動可能に配設された圧縮シリンダにより、供給されたガスを圧縮するものがある。
【先行技術文献】
【特許文献】
【０００３】
【特許文献１】特開２０１７−０２６０４４号公報
【発明の概要】
【発明が解決しようとする課題】
【０００４】
ところで、シリンダ筒内においては、ピストンの移動により、内圧が吸入圧と圧縮圧との間で大きく脈動する。この圧力の脈動は、ロッドの外周をシールするロッドパッキンにも印加され、ロッドパッキンに振動、衝撃及び摺動摩擦熱による大きな負荷をかけて寿命を短くする。
【０００５】
そこで、本発明は、ロッドの外周をシールするロッドパッキンへの負荷が少ない圧縮シリンダを提供することを課題とする。
【０００６】
本発明の他の課題は、以下の記載により明らかとなる。
【課題を解決するための手段】
【０００７】
前記課題は、以下の各発明によって解決される。
【０００８】
１．
吸入口及び吐出口に連通されたシリンダ筒と、
前記シリンダ筒内に密着摺動可能に配設されたピストンと、
前記ピストンと同軸に一体的に連設され、該ピストンよりも小径であって、前記シリンダ筒に同軸に形成された連結筒内を密着摺動可能とされた連結軸と、
前記連結軸に連設され、該連結軸を介して前記ピストンに駆動力を伝達するロッドと、
前記ロッドの外周をシールするロッドパッキンと、
前記連結軸の後端部と前記ロッドパッキンとの間の前記連結筒内の空間を外方に連通させる連通孔とを備え、
前記吸入口から供給されたガスを前記シリンダ筒内で前記ピストンにより圧縮して前記吐出口から送出することを特徴とする圧縮シリンダ。
２．
前記連結軸の後端部と前記ロッドパッキンとの間の前記連結筒内の空間は、前記連通孔を経由して外方に連通することにより、前記吐出口から吐出されるガスの圧力よりも低く大気圧よりも高い圧力とされていることを特徴とする前記１記載の圧縮シリンダ。
３．
前記ロッドパッキンは、潤滑油の供給が不要であることを特徴とする前記１又は２記載の圧縮シリンダ。
４．
前記連結軸の外周面には、ピストンリングが装着されており、このピストンリングの外周部が前記連結筒の内周面に密着摺動することを特徴とする前記１、２又は３記載の圧縮シリンダ。
５．
前記シリンダ筒内には、円筒状のシリンダライナが装着されており、
前記ピストンの外周面には、ピストンリング及びライダリングが装着されており、これらピストンリング及びライダリングの外周部が前記シリンダライナの内周面に密着摺動することを特徴とする前記１〜４の何れかに記載の圧縮シリンダ。
６．
前記ガスを２００バール以上で使用することを特徴とする前記１〜５の何れかに記載の圧縮シリンダ。
【発明の効果】
【０００９】
本発明によれば、ロッドの外周をシールするロッドパッキンへの負荷が少ない圧縮シリンダを提供することができる。
【図面の簡単な説明】
【００１０】
【図１】本発明の圧縮シリンダの構成を示す断面図
【図２】本発明の圧縮シリンダのピストンの構造を示す側面図
【図３】本発明の圧縮シリンダのロッドパッキンの構造を示す縦断面図
【図４】本発明の圧縮シリンダを用いて構成されたコンプレッサを概略的に示すブロック図
【発明を実施するための形態】
【００１１】
以下、本発明の実施の形態について図面を用いて詳細に説明する。
【００１２】
図１は、本発明の圧縮シリンダの構成を示す断面図である。
【００１３】
本実施形態の圧縮シリンダは、図１に示すように、シリンダ筒１０と、このシリンダ筒１０内に配置されたシリンダライナ１１と、このシリンダライナ１１内に密着摺動可能に配設されたピストン１とを備え、吸入口２０から吸入弁２０ａを経由して供給されたガスをシリンダ筒１０内でピストン１により圧縮して吐出弁３０ａを経由して吐出口３０から送出する圧縮シリンダである。
【００１４】
シリンダ筒１０の内部は筒状に形成され、円筒状のシリンダライナ１１が内嵌装されている。なお、シリンダライナ１１は、シリンダ筒１０の内面部が十分な強度及び耐久性を有するならば、設けなくともよい。シリンダ筒１０は、後端側（図１中左端側）において、吸入口２０及び吐出口３０に連通されている。また、シリンダ筒１０の前端部（図１中右端部）は、シリンダカバー１０ａによって閉蓋されている。ピストン１の前端部（図１中右端部）１ａとシリンダカバー１０ａとの間のシリンダ筒１０内の空間は、連通孔１０ｂを経由して、外方（ガス吸入側）に連通している。
【００１５】
図２は、本発明の圧縮シリンダのピストンの構造を示す側面図である。
【００１６】
ピストン１は、図２に示すように、シリンダライナ１１に内嵌装され得る円柱状に形成されている。ピストン１には、環状のピストンリング２ａが複数外嵌装されている。また、ピストン１の前端側（図１及び図２中の右端側）及び基端側（図１及び図２中の左端側）には、ライダリング２ｂが外嵌装されている。ピストンリング２ａ及びライダリング２ｂの外周部は、シリンダライナ１１の内周面に密着摺動する。なお、ピストンリング２ａ及びライダリング２ｂは、十分な強度及び耐久性が確保されるならば、種々の方式のシーリング部材に代えてもよく、また、例えばラビリンスシールのように、これらのシーリング部材を設けなくともよい。
【００１７】
ピストン１がシリンダライナ１１内においてシリンダ筒１０の軸方向（図１中矢印Ａ）に摺動されることにより、シリンダ筒１０内（シリンダライナ１１内）のガスが圧縮される。シリンダ筒１０内（シリンダライナ１１内）においてはピストン１の移動の方向によって、内圧が大きく変動する。ピストン１の移動方向がシリンダ筒１０内の容積を大きくする方向（図１中の右方向）であるときには、シリンダ筒１０内の圧力は減少し、ピストン１の移動方向がシリンダ筒１０内の容積を小さくする方向（図１中の左方向）であるときには、シリンダ筒１０内の圧力は増大する。このとき、シリンダ筒１０内のガスが圧縮される。
【００１８】
ピストン１の基端部（図１及び図２中の左端部）１ｂには、連結軸４が、同軸に一体的に連設されている。この連結軸４は、ピストン１よりも小径の円柱状に形成されている。連結軸４には、環状のピストンリング４ａが外嵌装されている。ピストンリング４ａの外周部は、シリンダ筒１０に同軸に形成された連結筒１２の内周面に密着摺動する。すなわち、連結軸４は、連結筒１２内を密着摺動可能とされている。
【００１９】
連結軸４の後端部４ｂとロッドパッキン６との間の連結筒１２内の空間（ロッド５の周囲の空間）は、連通孔１２ｂを経由して、外方に連通されている。そして、連結軸４の後端部４ｂとロッドパッキン６との間の空間は、外方に連通させることにより、吐出口３０から吐出されるガスの圧力よりも低く大気圧よりも高い圧力とすることが好ましい。この場合には、連通孔１２ｂをガス吸入側に連通させることにより、そのような圧力とすることができる。ただし、他のコンプレッサの吐出口などに連通させてもよい。
【００２０】
連結軸４の後端部４ｂとロッドパッキン６との間の空間を連通孔１２ｂにより外方（ガス吸入側）に連通させた場合には、連結軸４の後端部４ｂとロッドパッキン６との間の空間の内圧を吸入圧に等しくでき、変動を抑えることができ、ロッドパッキン６に対する負荷をより小さくできて、ロッド５とロッドパッキンリング６ａとの間への潤滑油の供給を不要とすることができる。
【００２１】
なお、連結軸４の外周面と連結筒１２の内周面との密着は、ピストンリング４ａによる構成に限定されず、十分な強度、耐久性及びシール性が確保されるならば、種々の方式のシーリング部材による構成に代えてもよく、また、シーリング部材を設けずに連結軸４の外周面が連結筒１２の内周面に直接密着摺動する構成にしてもよい。さらに、シーリング部材は、連結軸４の外周面に設けるのではなく、連結筒１２の内周面に設けてもよい。
【００２２】
連結軸４の後端部（図１及び図２中左端部）４ｂには、図２に示すように、連結軸４を介してピストン１に駆動力を伝達するロッド５が連設されている。ロッド５は、図１に示すように、ロッドパッキン６によって、外周がシールされている。
【００２３】
図３は、本発明の圧縮シリンダのロッドパッキンの構造を示す縦断面図である。
【００２４】
ロッドパッキン６は、図３に示すように、ロッド５の外周をシールする複数のロッドパッキンリング６ａと、これらロッドパッキンリング６ａを収納している複数のリングカップ６ｂを有して構成されている。ロッドパッキンリング６ａとロッド５との摺動によって、摺動摩擦熱が発生する。この摺動摩擦熱は、リングカップ６ｂに伝達される。
【００２５】
この圧縮シリンダにおいては、シリンダ筒１０とロッドパッキン６との間には、連結軸４によって密封された連結筒１２があるので、シリンダ筒１０内の高い圧力がロッドパッキン６に印加されることがない。したがって、シリンダ筒１０内の圧力が吸入圧と吐出圧との間で脈動してもロッドパッキン６に対する負荷が大きくならず、ロッドパッキン６において生ずる振動、衝撃及び摺動摩擦熱は小さい。そのため、ロッド５の外周をシールするロッドパッキン６への負荷が少なく、寿命を長くすることができる。
【００２６】
また、ロッドパッキン６は、ロッドパッキン６において生ずる振動、衝撃及び摺動摩擦熱が小さいために、ロッド５とロッドパッキンリング６ａとの間への潤滑油の供給を不要とすることができる。この場合には、圧縮したガスへの潤滑油の混入を防止することができる。
【００２７】
さらに、この圧縮シリンダにおいては、ピストンリング２ａ、４ａ及びライダリング２ｂを高耐熱性の材料から形成することにより、ピストン１への給油も不要とすることができる。または、この圧縮シリンダにおいては、冷却液を回流させる冷却機構を設けることにより、ピストン１、ピストンリング２ａ、ライダリング２ｂ、シリンダ筒１０及びシリンダライナ１１の熱を吸熱し、シリンダ筒１０の外において放熱して、シリンダ筒１０内を冷却し、ピストン１への給油も不要とすることができる。
【００２８】
なお、ロッドパッキン６は、冷媒供給路６ｃから各リングカップ６ｂ内の流路に冷媒を分配して供給し、これら流路から冷媒を冷媒排出路６ｄに集めて排出するように構成してもよい。冷媒供給路６ｃは、冷媒供給口６ｅにおいて外部に連通し、各リングカップ６ｂ内を貫通するとともに、各リングカップ６ｂ内で分岐して各リングカップ６ｂ内の流路に連通している。冷媒排出路６ｄは、各リングカップ６ｂ内の流路から連通し各リングカップ６ｂ内で集合して、各リングカップ６ｂ内を貫通するとともに、冷媒排出口６ｆにおいて外部に連通している。各リングカップ６ｂ内の流路に冷媒を供給することにより、多量の摺動摩擦熱を除去することができ、ロッドパッキン６の耐久性を高めることができる。
【００２９】
〔コンプレッサの構成例〕
図４は、本発明の圧縮シリンダを用いて構成されたコンプレッサを概略的に示すブロック図（再液化があるので潤滑油の供給が不要にしたい一例を示している）である。
【００３０】
本発明の圧縮シリンダを用いて構成されるコンプレッサ２００は、１段でもよいが、図４に示すように、一例として、それぞれが圧縮シリンダを有する複数（例えば、５段）の圧縮段２０１、２０２、２０３、２０４、２０５を有し、圧縮段２０１、２０２、２０３、２０４、２０５ごとに徐々にガスを圧縮して高圧化してゆく。複数の圧縮段２０１、２０２、２０３、２０４、２０５のうちの後段（例えば、第４段）においては、ガスがすでに１００バール（１０ＭＰａ）以上の高圧となっている。
【００３１】
１００バール（１０ＭＰａ）以上の高圧のガスをさらに、例えば２００バール以上に圧縮するシリンダにおいては、従来、ピストン１及びロッドパッキン６の樹脂製シールリング（ピストンリング及びロッドパッキンリング）が高熱により短寿命になる虞がある。樹脂製シールリングは、低圧下では、潤滑油の供給が不要式でも実用的な寿命を維持できる。しかし、例えば、ＬＮＧボイルオフガスを圧縮して船舶用エンジンの燃料ガスとする様な場合には５段圧縮が必要で、第５段では、吸入圧が１００バール乃至１２０バールで、吐出圧が２００バール以上といった高圧条件下では、潤滑油の供給が不要式では、樹脂製シールリングの実用的な寿命を維持することができない虞がある。
【００３２】
本発明の圧縮シリンダは、何れの圧縮段２０１、２０２、２０３、２０４、２０５に用いる場合にもロッドパッキンへの給油が不要であり、冷却機構を備えれば、ピストンへの給油も不要とすることができる。この場合には、コンプレッサ２００においては、圧縮したガスが潤滑油により汚染される虞がない。したがって、後段の圧縮段を経たガスを極低温かつ高圧下で再液化して再利用することが可能となる。すなわち、本発明の圧縮シリンダは、高圧下における使用（すでに高圧（例えば１００バール以上）となっているガスをさらに高圧（例えば３００バール以上）にする用途）において特に有用である。
【００３３】
このコンプレッサ２００は、あらゆる用途に適用可能であり、例えば、天然ガスを圧縮する用途においては、最後圧縮段２０５を経た天然ガスを貯蔵タンク２０６に戻すことが可能となる。また、後段の圧縮段の前（第４段２０４と第５段２０５との間）に逆止弁は不要である。
【００３４】
また、重油脱硫用に使用する高圧水素ガスでは、高圧故に潤滑油の供給を不要にすることが不可能なので、油分を含んだまま使用している。これがリアクター内の高価な触媒の寿命を縮めるが、現状致し方なしとして油分を含んだ高圧水素ガスを使用している。これが油分を含まない高圧水素ガスとなれば、触媒寿命延長が図られ、大きなメリットになる。
【００３５】
本発明は、前述した実施形態に限定されることなく、本発明の趣旨を逸脱しない範囲において、種々の改良並びに設計の変更を行ってよい。
【００３６】
その他、具体的な細部構造や数値等及び制御装置の制御内容等についても適宜に変更可能であることは勿論である。加えて、今回開示された実施形態は、全ての点で例示であって制限的なものではないと考えられるべきである。本発明の範囲は、前記した説明ではなくて特許請求の範囲によって示され、特許請求の範囲と均等の意味及び範囲内での全ての変更が含まれることが意図される。
【符号の説明】
【００３７】
１  ピストン
１ａ  前端部
１ｂ  基端部
２ａ  ピストンリング
２ｂ  ライダリング
４  連結軸
４ａ  ピストンリング
４ｂ  後端部
５  ロッド
６  ロッドパッキン
６ａ  ロッドパッキンリング
６ｂ  リングカップ
６ｃ  冷媒供給路
６ｄ  冷媒排出路
６ｅ  冷媒供給口
６ｆ  冷媒排出口
１０  シリンダ筒
１０ａ  シリンダカバー
１０ｂ  連通孔
１１  シリンダライナ
１２  連結筒
１２ｂ  連通孔
２０  吸入口
２０ａ  吸入弁
３０  吐出口
３０ａ  吐出弁
２００  コンプレッサ
２０１  第１の圧縮段
２０２  第２の圧縮段
２０３  第３の圧縮段
２０４  第４の圧縮段
２０５  第５の圧縮段
２０６  貯蔵タンク
【図１】
2020041512.tif 000003
【図２】
2020041512.tif 000004
【図３】
2020041512.tif 000005
【図４】
2020041512.tif 000006